(57)【特許請求の範囲】
【請求項１】
ビーム部と、
該ビーム部に重ねた状態で該ビーム部に取付けられかつスライダを装着するスライダ取付部を有するフレキシャと、
前記スライダに接続される配線部と、
前記フレキシャの揺れを抑制するリミッタと、
を具備したディスクドライブ用サスペンションにおいて、
前記リミッタは、
前記ビーム部の先端部の両側からそれぞれ前記ビーム部の幅方向に延出し前記フレキシャの被支持部の外側に張り出すとともに前記被支持部の前側に延出しかつ前記被支持部の一方の面と向かい合う一対の腕部と、
これら一対の腕部間に形成された開口と、
前記各腕部の先端において互いの距離が前記腕部間の前記開口の幅よりも狭くなるよう互いに近付く方向に延出する一対の内側部と、
前記一対の内側部において前記被支持部の一方の面から他方の面に向かうように前記ビーム部の厚み方向に折曲げた折曲部と、
前記各折曲部の先端から後向きに延出し前記被支持部の他方の面と向かい合う対向部と、
を具備したことを特徴とするディスクドライブ用サスペンション。
【発明の詳細な説明】
【０００１】
【発明の属する技術分野】
この発明は、例えばパーソナルコンピュータ等の情報処理装置に内蔵されるディスクドライブ用サスペンションに関する。
【０００２】
【従来の技術】
回転する磁気ディスクあるいは光磁気ディスク等に情報を記録し再生するためのハードディスクドライブ（ＨＤＤ）は、軸を中心に旋回可能なキャリッジを有している。このキャリッジは、ポジショニング用モータによって、前記軸を中心に旋回駆動される。キャリッジは、アーム（アクチュエータアーム）と、このアームの先端部に設けたサスペンションと、サスペンションに取付けたスライダを含むヘッド部などを備えている。
【０００３】
ディスクが回転するとサスペンション先端部のスライダがディスク表面から僅かに浮上するとともに、ディスクとスライダとの間にエアベアリングが形成される。このサスペンションは、ベースプレートを含むベース部と、精密な薄板ばねからなるビーム部と、このビーム部にレーザ溶接等によって固定されるフレキシャなどからなる。
【０００４】
図５に示すサスペンション１のように、ビーム部２に設けたリミッタ３によって、フレキシャ４の揺れを抑制することが提案されている。このリミッタ３は、ビーム部２の先端部の両側から前方に延出する一対の腕部５と、各腕部５の先端の外側部５ａからビーム部２の厚み方向にほぼ直角に折曲された折曲部６と、各折曲部６の先端から後向きに延出してフレキシャ４の被支持部４ａと向かい合う対向部７などを有している。これら腕部５と対向部７との間にフレキシャ４の被支持部４ａが挿入されることにより、フレキシャ４の揺れが抑制される。
【０００５】
【発明が解決しようとする課題】
前記フレキシャ４は、スライダを取付けるためのスライダ取付部４ｂを有している。このスライダ取付部４ｂに固定されたスライダの端子に、配線部の端末がボンディングされる。このボンディングを行う工程において、ボンディング用の治具が一対の腕部５間の開口８に挿入される。しかし従来のリミッタ３を備えたサスペンション１は、前記開口８の幅Ａがリミッタ３の実質的な幅Ｂよりもかなり狭くなっているために、開口８に挿入することのできる治具のサイズが制限されてしまうという問題が生じた。
【０００６】
従ってこの発明の目的は、ボンディング用の治具を挿入する開口を大きくとることができるリミッタを備えたディスクドライブ用サスペンションを提供することにある。
【０００７】
【課題を解決するための手段】
前記目的を果たすための本発明は、ビーム部と、該ビーム部に重ねた状態で該ビーム部に取付けられかつスライダを装着するスライダ取付部を有するフレキシャと、前記スライダに接続される配線部と、前記フレキシャの揺れを抑制するリミッタとを具備したディスクドライブ用サスペンションにおいて、
前記リミッタは、前記ビーム部の先端部の両側からそれぞれ前記ビーム部の幅方向に延出し前記フレキシャの被支持部の外側に張り出すとともに前記被支持部の前側に延出しかつ前記被支持部の一方の面と向かい合う一対の腕部と、これら一対の腕部間に形成された開口と、前記各腕部の先端において互いの距離が前記腕部間の前記開口の幅よりも狭くなるよう互いに近付く方向に延出する一対の内側部と、前記一対の内側部において前記被支持部の一方の面から他方の面に向かうように前記ビーム部の厚み方向に折曲げた折曲部と、前記各折曲部の先端から後向きに延出し前記被支持部の他方の面と向かい合う対向部とを具備している。この明細書で言う被支持部とは、フレキシャの揺れが大きくなったときにリミッタが接する部分である。
【０００８】
前記スライダと配線部との接続を行う際に、前記リミッタの腕部間の開口からボンディング用の治具を挿入し、この治具によってフレキシャのスライダ取付部を支持した状態でボンディング工程が行われる。前記リミッタは、ビーム部とは別体に構成された別部品をビーム部に取付けてもよいが、サスペンションを構成する部品の数や組付工数を削減する上で、前記リミッタはビーム部と一体に成形されることが望ましい。
【０００９】
【発明の実施の形態】
以下に本発明の一実施形態について、図１から図４を参照して説明する。
図３に示すディスクドライブ用サスペンション１０は、ベース部１１と、ビーム部１２と、これらベース部１１とビーム部１２を互いにつなぐヒンジ部材１３と、ビーム部１２の厚み方向に重ねた状態で取付けられた配線付きフレキシャ１４などを備えている。図４に示すようにベース部１１にはベースプレート１５が固定される。
【００１０】
ヒンジ部材１３は、ベース部１１およびビーム部１２よりも薄い板状のばね部材、例えばステンレス鋼圧延板からなる。ヒンジ部材１３の一方の部分１３ａはベース部１１に固定される。ヒンジ部材１３の他方の部分１３ｂは、ビーム部１２の後端部に固定される。ビーム部１２の厚さは例えば１００μｍ前後である。
【００１１】
配線付きフレキシャ１４は、厚さ２０μｍ程度の金属板からなる基板２０と、この基板２０に沿って電気絶縁層を介して形成された所定パターンの配線部２１などを備えている。フレキシャ１４の基板２０は、ビーム部１２とヒンジ部材１３よりもさらに薄い板ばね（例えばステンレス鋼の圧延材）からなり、レーザ溶接等によってビーム部１２の所定位置に固定される。
【００１２】
この実施形態のフレキシャ１４は、左右一対のアウトリガー部２５ａ，２５ｂと、スライダ取付部として機能するタング２６とを一体に備えている。タング２６の前端部は連結部２７ａ，２７ｂを介してアウトリガー部２５ａ，２５ｂの前端部とつながっている。タング２６に、ヘッド部３０を構成するスライダ３１が装着される。
【００１３】
ビーム部１２の先端部に、フレキシャ１４の過剰な揺れを抑制するためのリミッタ４０が設けられている。このリミッタ４０は、ビーム部１２と一体の一対の腕部４１，４２を有している。これら腕部４１．４２は、ビーム部１２の先端部の左右両側からそれぞれフレキシャ１４の被支持部４３の外側に張り出すとともに、被支持部４３の前側に延出している。これら腕部４１．４２の裏面は、被支持部４３の一方の面４３ａと向かい合っている。そして腕部４１，４２の間に、ボンディング用の治具４４（図２に一部を示す）を挿入可能な広さの開口４５が形成されている。
【００１４】
さらにこのリミッタ４０は、各腕部４１．４２の先端側に一対の折曲部５０，５１を備えている。これら折曲部５０，５１は、各腕部４１，４２の先端においてその内側部４１ａ，４２ａからビーム部１２の板厚方向にほぼ直角に折曲げることにより、被支持部４３の一方の面４３ａから他方の面４３ｂに向かうようにしている。
【００１５】
さらにこのリミッタ４０は、各折曲部５０，５１の先端からそれぞれ後向きに延出する対向部５２，５３を備えている。これら対向部５２，５３は、被支持部４３の他方の面４３ｂと向かい合っている。言い換えると、腕部４１，４２と対向部５２，５３との間に、フレキシャ１４の被支持部４３が互いに厚み方向に離間した状態で位置することにより、フレキシャ１４の揺れが抑制されるようになっている。
【００１６】
図２に示すようにスライダ取付部として機能するタング２６にスライダ３１が取付けられる。ビーム部１２にはタング２６の裏面と接する凸形状のディンプル６０が設けられている。スライダ３１の端子６１は、図示しない導電ワイヤを介して配線部２１の端末と電気的に接続される。
【００１７】
すなわち、スライダ３１がタング２６に固定されたのち、スライダ３１の端子６１と配線部２１との間でゴールドワイヤボンディングが行われる。このボンディングを行うとき、治具４４が腕部４１，４２間の開口４５に挿入され、タング２６が治具４４によって支持された状態で、ボンディング装置によって超音波が印加されるなどしてボンディングが行われる。
【００１８】
この実施形態のサスペンション１０のリミッタ４０の場合、ビーム部１２の先端の両側から前方に延出する腕部４１，４２が、アウトリガー部２５ａ，２５ｂの外側に向かって張り出し、さらに腕部４１，４２の内側部４１ａ，４２ａにおいて折曲部５０，５１が厚み方向に折曲げられている。
【００１９】
このため腕部４１，４２間の開口４５の幅Ｗ１を、リミッタ４０の実質的な幅Ｗ２よりも大きくとることができる。このためリミッタ４０の幅Ｗ２が図５に示す従来のサスペンション１のリミッタの幅Ｂと同等でも、十分な広さの開口４５が確保されることになり、より大きなサイズの治具４４を用いることが可能となり、ボンディングを確実に行うことができる。
【００２０】
しかもこの実施形態のリミッタ４０は、腕部４１，４２がタング２６の近傍においてアウトリガー部２５ａ，２５ｂを横切る形態であるため、フレキシャ１４の揺れが許容限度を超えたときにアウトリガー部２５ａ，２５ｂの変位を腕部４１，４２によって十分に規制することができ、フレキシャ１４の揺れをより効果的に抑制することができる。
【００２１】
なお、これらの実施形態をはじめとして、この発明を実施するに当たり、ビーム部の形態や、フレキシャ、スライダ、配線部、リミッタなど、この発明の構成要素をこの発明の要旨を逸脱しない範囲で種々に変更して実施できることは言うまでもない。
【００２２】
【発明の効果】
請求項１に記載した発明によれば、ビーム部に設けたリミッタによってフレキシャの揺れを抑制することができ、しかもこのリミッタの腕部間に形成される開口を広くとることができるため、この開口からフレキシャのスライダ取付部に向かって挿入されるボンディング用治具の大きさの制約が軽減される。
【図面の簡単な説明】
【図１】  本発明の一実施形態を示すディスクドライブ用サスペンションの一部の平面図。
【図２】  図１に示されたサスペンションの一部の側面図。
【図３】  図１に示されたサスペンションの全体の斜視図。
【図４】  図１に示されたサスペンションの分解斜視図。
【図５】  従来のサスペンションの一部を示す平面図。
【符号の説明】
１０…ディスクドライブ用サスペンション
１２…ビーム部
１４…フレキシャ
２１…配線部
２６…タング（スライダ取付部の一例）
３１…スライダ
４０…リミッタ
４１，４２…腕部
４３…被支持部
４４…治具
４５…開口
５０，５１…折曲部
５２，５３…対向部
【図１】
0004302870.tif 000002
【図２】
0004302870.tif 000003
【図３】
0004302870.tif 000004
【図４】
0004302870.tif 000005
【図５】
0004302870.tif 000006